(57)【要約】【課題】無機質板を被施工面に固定し、その脱落を防止できる無機質板の固定方法の提供。【解決手段】無機質板を被施工面に固定する方法は、互いに対向する第１端部および第２端部を有する無機質板を用意する工程と、第１基部と、第１端部に係止される第１係止部と、第１基部から外側に向かって延びる長尺部と、を有する第１係止片を用意する工程と、第２基部と、第２端部に係止される第２係止部と、を有する第２係止片と用意する工程と、第１係止部を第１端部に引っ掛け、長尺部を折り曲げた折り曲げ部に第２係止片を係合させ、第２係止部を第２端部に引っ掛けることにより、第１係止片および第２係止片で無機質板を把持する工程と、長尺部を被施工面に固定具で締結することにより、第１係止片を被施工面に接続する工程と、長尺部が配置される無機質板の面と被施工面とを接着する工程と、を含んでなる。【選択図】図１
2018109338.tif 000002
【特許請求の範囲】
【請求項１】
無機質板を被施工面に固定する方法であって、
（ａ）互いに対向する第１端部および第２端部を有する無機質板を用意する工程と、
（ｂ）第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片を用意する工程と、
（ｃ）第２基部と、前記第２基部の一方の端部に設けられ前記第２端部に係止される第２係止部と、を有する第２係止片と用意する工程と、
（ｄ）前記第１係止部を前記第１端部に引っ掛け、前記長尺部を折り曲げた折り曲げ部に前記第２係止片を係合させ、前記第２係止部を前記第２端部に引っ掛けることにより、前記第１係止片および前記第２係止片で前記無機質板を把持する工程と、
（ｅ）前記長尺部を前記被施工面に固定具で締結することにより、前記第１係止片を前記被施工面に接続する工程と、
（ｆ）前記長尺部が配置される前記無機質板の面と前記被施工面とを接着する工程と、
を含んでなる方法。
【請求項２】
前記第２基部は、前記長尺部が通過可能な孔を有し、
前記工程（ｄ）において、前記長尺部を前記孔に通した後に前記長尺部を折り曲げて前記折り曲げ部を形成する、請求項１に記載の方法。
【請求項３】
前記長尺部は、前記長尺部が延びる方向に沿って所定間隔で設けられた複数の固定孔を有する、請求項１または２に記載の方法。
【請求項４】
前記長尺部は、前記第１基部に一体的に形成されてなる、請求項１〜３のいずれか１項に記載の方法。
【請求項５】
前記無機質板は、
前記第１端部に設けられ前記第１係止片が引っ掛かる第１孔または第１溝と、
前記第２端部に設けられ前記第２係止片が引っ掛かる第２孔または第２溝と、
を有する、請求項１〜４のいずれか１項に記載の方法。
【請求項６】
前記第１端部は、前記無機質板が前記被施工面に固定された状態における上端部であり、前記第２端部は、前記無機質板が前記被施工面に固定された状態における下端部である、請求項５に記載の方法。
【請求項７】
前記第１端部は、前記無機質板が前記被施工面に固定された状態における右端部および左端部のいずれか一方であり、前記第２端部は、前記無機質板が前記被施工面に固定された状態における右端部および左端部のいずれか他方である、請求項５に記載の方法。
【請求項８】
前記無機質板は、
前記第１孔または前記第１溝により形成された第１段部と、
前記第２孔または前記第２溝により形成された第２段部と、
を有する、請求項７に記載の方法。
【請求項９】
請求項１〜８のいずれか１項に記載の前記無機質板を前記被施工面に固定する方法に用いられる固定部材であって、
第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片と、
第２基部と、前記第２基部の一方の端部に設けられ前記第２端部に係止される第２係止部と、を有する第２係止片と、
を備えてなる固定部材。
【請求項１０】
被施工面と、前記被施工面に固定された無機質板と、前記無機質板に係止された固定部材と、を備えてなる構造物であって、
前記無機質板は、互いに対向する第１端部および第２端部を有してなり、
前記固定部材は、
第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片と、
第２基部と、前記第２基部の一方の端部に設けられ前記第２端部に係止される第２係止部と、を有する第２係止片と、
を有してなり、
前記第１係止部が前記第１端部に引っ掛けられ、前記長尺部を折り曲げた折り曲げ部に前記第２係止片が係合され、前記第２係止部が前記第２端部に引っ掛けられることにより、前記無機質板が前記第１係止片および前記第２係止片で把持されてなるとともに、前記固定部材が前記被施工面に接続され、前記長尺部が配置される前記無機質板の面と前記被施工面とが接着されてなる構造物。
【発明の詳細な説明】
【技術分野】
【０００１】
本発明は、無機質板、とりわけ薄型で大型の陶磁器板を壁などの被施工面に固定する方法およびその固定方法に用いられる固定部材、ならびにその固定方法によって得られる構造物に関し、さらに詳しくは無機質板を接着剤などで接着する固定手段に加えて実施され、その脱落などを防止する固定方法およびその固定方法に用いられる固定部材、ならびにその固定方法によって得られる構造物に関する。
【背景技術】
【０００２】
内装または外装材としてタイルなどの無機質板が広く用いられている。これら無機質板の被施工面への施工は、接着剤やモルタルなどで張り付けることに行われる。さらに、最近では目地を少なくでき、施工の簡略化や意匠の多様化を実現可能な大型陶磁器板が実用化され広く利用されてきており、このような大型陶磁器板についてもその施工は接着剤などによる接着が一般的である。
【０００３】
このような無機質板、とくに大型陶磁器板を壁面などに施工する場合、経年により剥離や割れが発生しても、脱落並びに脱落に伴う被害を抑止することが必要になる。大型陶磁器板は薄型とされ軽量化されているものが多いが、特に大型陶磁器板を外装材として使用する場合には、脱落並びに脱落に伴う被害を抑止可能な施工システムが重要になる。
【０００４】
このような施工システムとして、接着剤などによる接着に加えて、無機質板に穴をあけてビスなどで固定することが行われている。しかしながら、内装・外装材として化粧面を有するものである場合、穴およびビスの頭は化粧面の意匠を損なう恐れがある。
【０００５】
化粧面の意匠性を損ねない施工方法として、例えば、建物用外装板のアンカー金物を用いて建物用外装板を固定する方法が提案されている（実開昭６２−１４０１０９号公報、特許文献１）。特許文献１に記載された建物用外装板のアンカー金物は、回転板に支軸と枢支軸とを設け、支軸を掛着基板の軸受に、枢支軸を弾性掛着板の軸受にそれぞれ軸支し、回動板を支軸を中心にして回動させることにより弾性掛着板と掛着基板とに設けられた両掛着片で外装板裏面を掴持する。
【０００６】
しかし、特許文献１に記載された建物用外装板のアンカー金物を用いて建物用外装板を固定する方法では、掛着基板の軸受および弾性掛着板の軸受が外装板裏面から突出している寸法が比較的長いため、接着剤の層の厚さが厚くなる。施工の迅速化のため、合成樹脂を主として含有してなる接着剤が広く用いられているが、接着剤の層の厚みが厚くなれば、建物用外装板は張り付け後に自重で下がってしまう。そのため、接着剤などによる接着に加えて、特許文献１に記載された建物用外装板のアンカー金物を用いることは困難である。従って、化粧面の意匠性を損ねない施工方法、とりわけ薄型で大型の無機質板の固定方法が依然として求められていると言える。
【先行技術文献】
【特許文献】
【０００７】
【特許文献１】実開昭６２−１４０１０９号公報
【発明の概要】
【発明が解決しようとする課題】
【０００８】
本発明は、無機質板を被施工面に固定し、その脱落を防止できる無機質板の固定方法およびその固定方法に用いられる固定部材、ならびにその固定方法によって得られる構造物の提供を目的とする。
【課題を解決するための手段】
【０００９】
そして、本発明による無機質板を被施工面に固定する方法であって、
（ａ）互いに対向する第１端部および第２端部を有する無機質板を用意する工程と、
（ｂ）第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片を用意する工程と、
（ｃ）第２基部と、前記第２基部の一方の端部に設けられ前記第２端部に係止される第２係止部と、を有する第２係止片と用意する工程と、
（ｄ）前記第１係止部を前記第１端部に引っ掛け、前記長尺部を折り曲げた折り曲げ部に前記第２係止片を係合させ、前記第２係止部を前記第２端部に引っ掛けることにより、前記第１係止片および前記第２係止片で前記無機質板を把持する工程と、
（ｅ）前記長尺部を前記被施工面に固定具で締結することにより、前記第１係止片を前記被施工面に接続する工程と、
（ｆ）前記長尺部が配置される前記無機質板の面と前記被施工面とを接着する工程と、
を含んでなる方法である。
【００１０】
また、本発明による固定部材は、本発明による無機質板を被施工面に固定する方法に用いられる固定部材であって、
第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片と、
第２基部と、前記第２基部の一方の端部に設けられ前記第２端部に係止される第２係止部と、を有する第２係止片と、
を備えてなることを特徴とする。
【００１１】
また、本発明による構造物は、被施工面と、前記被施工面に固定された無機質板と、前記無機質板に係止された固定部材と、を備えてなる構造物であって、
前記無機質板は、互いに対向する第１端部および第２端部を有してなり、
前記固定部材は、
第１基部と、前記第１基部の一方の端部に設けられ前記第１端部に係止される第１係止部と、前記一方の端部とは反対側の他方の端部に設けられ前記第１基部から外側に向かって延びる長尺部と、を有する第１係止片と、
第２基部と、前記第２基部の一方の端部に設けられ前記第２端部に係止される第２係止部と、を有する第２係止片と、
を有してなり、
前記第１係止部が前記第１端部に引っ掛けられ、前記長尺部を折り曲げた折り曲げ部に前記第２係止片が係合され、前記第２係止部が前記第２端部に引っ掛けられることにより、前記無機質板が前記第１係止片および前記第２係止片で把持されてなるとともに、前記固定部材が前記被施工面に接続され、前記長尺部が配置される前記無機質板の面と前記被施工面とが接着されてなることを特徴とする。
【発明の効果】
【００１２】
本発明によれば、無機質板を被施工面に固定し、その脱落を防止できる無機質板の固定方法およびその固定方法に用いられる固定部材、ならびにその固定方法によって得られる構造物を提供することができる。
【図面の簡単な説明】
【００１３】
【図１】無機質板の被施工面への固定方法を説明する図である。
【図２】無機質板の被施工面への固定方法を説明する図である。
【図３】無機質板の第１端部に設けられた第１溝と、無機質板の第２端部に設けられた第２溝と、を表す断面図である。
【図４】本発明による方法において用いられる第１係止片を表す図である。
【図５】本発明による方法において用いられる第１係止片の変形例を表す図である。
【図６】本発明による方法において用いられる第２係止片を表す図である。
【図７】本発明による方法において用いられる第２係止片の変形例を表す図である。
【図８】第１係止片および第２係止片で無機質板を把持する工程を説明する断面図である。
【図９】第１係止片および第２係止片で無機質板を把持する工程を説明する断面図である。
【図１０】長尺部を被施工面に締結する工程、および無機質板を被施工面に接着する工程を説明する断面図である。
【図１１】無機質板の被施工面への他の固定方法を説明する図である。
【図１２】無機質板の被施工面へのさらに他の固定方法を説明する図である。
【図１３】無機質板の被施工面へのさらに他の固定方法を説明する図である。
【図１４】第１溝および第２溝の第１変形例を表す断面図である。
【図１５】第１溝および第２溝の第２変形例を表す断面図である。
【図１６】第１溝および第２溝の第３変形例を表す断面図である。
【図１７】第１溝および第２溝の第４変形例を表す断面図である。
【図１８】被施工面に、複数の無機質板を張り付けた状態の説明図である。
【発明を実施するための形態】
【００１４】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１５】
発明の基本態様
図１および図２に示される本発明による態様の一つは、無機質板２を被施工面７（図１８参照）に固定する方法に関する。また、本発明の別の態様は、無機質板２を被施工面７に固定する方法に用いられる固定部材５に関する。また、本発明のさらに別の態様は、被施工面７と、被施工面７に固定された無機質板２と、無機質板２に係止された固定部材５と、を備えてなる構造物である。無機質板２は、経時的な劣化などで接着力が十分でなくなった場合でも、固定部材５を用いた接続手段が存在するため、脱落や、脱落に伴う被害を防ぐことができる。このように、本発明は、無機質板２の剥落および剥落に伴う被害を抑止することができるとの優れた利点を有するものである。
以下、定義を述べた後、本発明による固定方法、固定部材、および固定方法によって得られる構造物のさらに詳細を説明する。
【００１６】
定義
無機質板
本発明による方法によって固定される無機質板は、例えば陶磁器、石、またはガラスからなるものである。本発明の一つの態様によれば、本発明において無機質板は、平板として、外装または内装の壁、床、天井の仕上げ材や、キャビネット面材やカウンターの仕上げ材に好ましく用いられる。従って、無機質板は、好ましくは意匠が施された化粧面と、躯体等の被施工面に張り付けられる施工面とを備える。また、その大きさは限定されないが、本発明による固定方法は、後記するとおり、無機質板の被施工面への二重化された固定方法とすることができることから、比較的大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【００１７】
さらに本発明による固定方法、固定部材、および固定方法によって得られる構造物は、比較的薄い無機質板に好ましく適用できる。薄い無機質板に適用されるに際し、後記する無機質板の被施工面への二重化された固定方法の一つである接着に用いられる接着剤により、無機質板と被施工面との間に形成される接着層の厚さが薄い方が好ましい。大型の陶磁器板では軽量化のため、例えば厚さは３ｍｍ以上１５ｍｍ程度まで、好ましくは１０ｍｍ程度まで、より好ましくは８ｍｍ程度までとされる。
【００１８】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１９】
孔または溝
本発明による固定方法、固定部材、および固定方法によって得られる構造物によって、後記する被施工面に固定される無機質板は、孔または溝を有し、好適には、非貫通孔または溝を互いに対向する第１端部および第２端部に有する。なお、後記するように、固定部材の第１係止部が無機質板の第１端部に引っ掛けられ、固定部材の第２係止部が無機質板の第２端部に引っ掛けられる限りにおいて、無機質板は、必ずしも孔および溝を有していなくともよい。非貫通とは、一方の端部から他方の端部に向かって掘り下げられて孔または溝が形成されるが、他方の端部にまで至らない状態を意味する。
【００２０】
本発明において、無機質板が有する非貫通の溝とは、凹条を意味する。なお、非貫通の溝は、非貫通の孔であってもよい。非貫通の孔の形状は、特には限定されず、例えば、円形、楕円、三角形、四角形、多角形様であってよい。このように、本発明において、溝と孔とは、明確に区別される必要はなく、例えば四角形の非貫通の孔が横長に形成されて溝と解されるような形状であってもよい。後記する固定部材の係止部が挿入かつ係止可能である限りにおいて、孔または溝と呼ぶ。また、図１および図２に示すように、溝は、第１端部および第２端部と交差する一方の端部から、その一方の端部に対向する他方の端部まで延びていてもよい。あるいは、無機質板の強度を維持する観点から、溝は、第１端部および第２端部と交差する両端部まで延びていなくともよい。
【００２１】
孔または溝が延びた方向に沿ってみたときの孔または溝の形状は、三角形（Ｖ溝形状）、四角形（矩形状）、半円形（Ｕ溝形状）であってもよく、孔または溝の入り口、すなわち孔または溝の開口部の開口面積よりも開口部の奥における開口面積が大とされた、アリ穴、つまり逆ハの字の形状であってもよい。また、孔または溝が延びた方向に沿ってみたときの孔または溝の形状は、開口部より深さ方向（例えば第１端部から第２端部に向かう方向）に一定の距離の間、開口面積が変化せず、さらに深い位置では開口面積を入り口の開口面積より大とされた形状であってもよい。
【００２２】
孔または溝の深さは、特には限定されない。孔または溝は、第１端部から第２端部まで貫通していてもよいが、好適には、無機質板の強度等への影響からすると、孔または溝の深さは、無機質板の厚さ方向、すなわち施工面（裏面）から化粧面へ向かう方向の距離換算で無機質板の厚さと同等以下とされることが望ましい。本発明による固定方法、固定部材、および固定方法によって得られる構造物は、とりわけこのような薄い無機質板における比較的浅い孔または溝に対して有利に用いられる。具体的には、本発明による固定方法、固定部材、および固定方法によって得られる構造物は、例えば、孔または溝の深さが１ｍｍ以上５ｍｍ以下であるような無機質板に対して有利に用いられる。また、孔または溝の幅（つまり、条に沿った方向を垂直断面視したときの幅）は、固定部材の係止部が挿入かつ係止可能である限りにおいて特に制限されないが、無機質板の裏面と、孔または溝の壁面と、のなす角が鋭角であることが好ましい。これにより、無機質板に対する固定部材の係止部の係止力が高まる。
【００２３】
被施工面
本発明において、外装もしくは内装の壁、または建築物の垂直面または傾斜面であって、本発明による固定方法、固定部材、および固定方法によって得られる構造物によって無機質板が固定される表面を「被施工面」という。また、被施工面の内側に配置される、柱などの躯体や、間柱、ライトゲージスチール（ＬＧＳ）等のスタッド、またはパネルフレームなどを「下地」という。
【００２４】
本発明による固定方法
以下、本発明による固定方法について、図面を参照しながら説明する。図１および図２は、無機質板の被施工面への固定方法を説明する図である。図１および図２において、無機質板２の第１端部２１に第１溝２４が設けられ、無機質板２の第２端部２２に第２溝２５が設けられている。固定部材５のうちの第１係止片３の第１係止部３２が第１溝２４に引っ掛けられ、固定部材５のうちの第２係止片４の第２係止部４２が第２溝２５に引っ掛けられることにより、固定部材５は、第１係止部３２および第２係止部４２で無機質板２を把持する。言い換えれば、固定部材５が無機質板２に係止される。
【００２５】
なお、前述したように、溝と孔とは、明確に区別される必要はなく、第１溝２４は第１孔であってもよく、第２溝２５は第２孔であってもよい。また、第１係止片３の第１係止部３２が無機質板２の第１端部２１に引っ掛けられ、第２係止片４の第２係止部４２が無機質板２の第２端部２２に引っ掛けられる限りにおいて、無機質板２は、必ずしも第１溝２４および第２溝２５を有していなくともよい。以下の説明では、無機質板２が第１溝２４および第２溝２５を有する場合を例に挙げる。
【００２６】
固定部材５は、第１係止片３と、第２係止片４と、を備える。第１係止片３は、第１基部３１と、第１係止部３２と、長尺部３３と、を有する。第２係止片４は、第２基部４１と、第２係止部４２と、を有する。図１および図２の態様にあっては、第１係止部３２を第１溝２４に引っ掛け、第１係止片３の長尺部３３を折り曲げた折り曲げ部３３２に第２係止片４を係合させ、第２係止部４２を第２溝２５に引っ掛け、長尺部３３に設けられた固定孔３３１にビスなどの固定具６を被施工面７（図１８参照）に打ち込み、無機質板２は被施工面７に固定される。この固定とは別に、長尺部３３が配置される無機質板２の施工面２３は、接着剤により被施工面７に接着される。なお、図２の態様では、折り曲げ部３３２は、第１係止片３の長尺部３３を折り返した部分に相当する。
【００２７】
本発明による固定方法によれば、接着と、固定部材５による接続との二つの手段により、無機質板２と被施工面７とが固定される。無機質板２は、経時的な劣化などで接着力が十分でなくなった場合でも、固定部材５を用いた接続手段が存在するため、脱落や、脱落に伴う被害を防ぐことができる。すなわち、本発明によれば、無機質板２の被施工面７への二重化された固定方法が提供される。この態様による固定方法を、工程ごとに以下説明する。
【００２８】
（ａ）無機質板を用意する工程
この工程は上記で定義した無機質板を用意する工程である。図３は、無機質板の第１端部に設けられた第１溝と、無機質板の第２端部に設けられた第２溝と、を表す断面図である。すなわち、図３は、図１に表した切断面Ａ１１−Ａ１１における断面図である。図に示される態様において、第１溝２４および第２溝２５は、互いに並行して水平方向に延びるとともに（図１参照）、深さ方向（第１端部２１および第２端部２２が互いに対向する方向）に向かって互いに接近するように延びている。図１および図２に示す無機質板２において、第１端部２１は、無機質板２が被施工面７に固定された状態における上端部に相当する。また、第２端部２２は、無機質板２が被施工面７に固定された状態における下端部に相当する。
【００２９】
第１溝２４は、深さ方向に向かって延びた第１内壁面２４１および第１立壁面２４２を有する。第１内壁面２４１は、無機質板２の施工面２３に対して垂直ではなく、無機質板２の施工面２３に対して傾斜して延びている。第２溝２５は、深さ方向に向かって延びた第２内壁面２５１および第２立壁面２５２を有する。第２内壁面２５１は、無機質板２の施工面２３に対して垂直ではなく、無機質板２の施工面２３に対して傾斜して延びている。すなわち、第１内壁面２４１および第２内壁面２５１は、図３に表した断面図において、ハの字の形状に形成されている。
【００３０】
第１係止部３２は、第１係止部３２の主面が無機質板２の施工面２３に対して垂直ではない第１内壁面２４１に面で接触して、引っ掛かる力によって係止される。あるいは、第１係止部３２は、無機質板２の第１端部２１に設けられた第１溝２４の入口部（開口部）の付近に接触して、引っ掛かる力によっても係止される。第２係止部４２は、第２係止部４２の主面が無機質板２の施工面２３に対して垂直ではない第２内壁面２５１に面で接触して、引っ掛かる力によって係止される。あるいは、第２係止部４２は、無機質板２の第２端部２２に設けられた第２溝２５の入口部（開口部）の付近に接触して、引っ掛かる力によっても係止される。
【００３１】
第１溝２４の第１立壁面２４２は、第１溝２４の深さ方向において第１内壁面２４１に接続され、施工面２３に並行して延びている。第２溝２５の第２立壁面２５２は、第２溝２５の深さ方向において第２内壁面２５１に接続され、施工面２３に並行して延びている。つまり、第１溝２４および第２溝２５が延びた方向に沿ってみたときに、第１溝２４および第２溝２５のそれぞれの形状は、三角形（Ｖ溝形状）である。なお、後述するように、第１溝２４および第２溝２５の形状は、これだけには限定されない。
【００３２】
（ｂ）第１係止片を用意する工程
図４は、本発明による方法において用いられる第１係止片を表す図である。図４（ａ）は、第１係止片を表す正面図である。図４（ｂ）は、図４（ａ）に表した矢印Ａ１２の方向からみたときの側面図である。
【００３３】
第１係止片３は、第１基部３１と、第１係止部３２と、長尺部３３と、を有し、板状の部材、例えば金属板により形成されている。第１係止部３２は、第１基部３１の一方の端部３１１に設けられ、第１溝２４に挿入されて係止される。第１係止部３２は、第１基部３１の端部３１１に曲げ加工が施されることにより形成され、第１基部３１の主面に対して所定の角度で延びている。
【００３４】
第１基部３１と第１係止部３２との間の角度Ａ３は、無機質板２の施工面２３と第１溝２４の第１内壁面２４１との間の角度Ａ１（図３参照）以下であることが好ましい。角度Ａ３が角度Ａ１よりも小さい場合には、第１係止部３２は、第１溝２４に挿入されると、無機質板２の第１端部２１に設けられた第１溝２４の第１内壁面２４１の深い位置に接触して、引っ掛かる力によって係止される。
【００３５】
あるいは、角度Ａ３は、角度Ａ１と同じであってもよい。この場合には、第１係止部３２は、第１溝２４に挿入されると、第１係止部３２の主面が無機質板２の第１端部２１に設けられた第１溝２４の第１内壁面２４１に面で接触して、引っ掛かる力によって係止される。
【００３６】
長尺部３３は、第１基部３１の一方の端部３１１とは反対側の他方の端部３１２に設けられ、第１基部３１から外側に向かって延びている。長尺部３３は、第１基部３１に一体的に形成されており、固定具６が通される固定孔３３１を有する。図４（ａ）に表した例では、長尺部３３は、長尺部３３が延びる方向（長尺部３３の長手方向）に沿って所定間隔で設けられた複数の固定孔３３１を有する。固定具６が固定孔３３１を通して被施工面７に結合され、固定具６が通された固定孔３３１の部分が被施工面７に締結されることにより、第１係止片３が被施工面７に接続される。
【００３７】
図４（ａ）および図４（ｂ）に表した第１係止片３では、固定部材５と被施工面７との接続を、第１基部３１に一体的に形成された長尺部３３を介して行うが、本発明の別の態様によれば、固定部材と被施工面との接続が、第１基部３１とは別体として設けられた長尺部を介して行われてもよい。すなわち、図４（ａ）および図４（ｂ）に表した第１係止片において、長尺部を第１基部とは別体化し、第１基部の端部に取り付けられた長尺部が設けられていてもよい。図５は、そのような第１係止片を表した図である。
【００３８】
図５は、本発明による方法において用いられる第１係止片の変形例を表す図である。図５（ａ）は、第１係止片の変形例を表す正面図である。図５（ｂ）は、図５（ａ）に表した矢印Ａ１３の方向からみたときの側面図である。
【００３９】
本変形例の第１係止片３Ａは、第１基部３１Ａと、第１係止部３２と、長尺部３３Ａと、を有する。第１基部３１Ａおよび第１係止部３２は、板状の部材、例えば金属板により形成されている。一方で、長尺部３３Ａは、第１基部３１Ａとは別体として設けられた線材であり、第１基部３１Ａの他方の端部３１２に取り付けられている。具体的には、第１基部３１Ａは、端部３１２の近傍に孔３１３を有する。長尺部３３Ａの一方の端部は、孔３１３に通され、任意の固定方法により端部３１２に取り付けられている。
【００４０】
長尺部３３Ａの一方の端部（第１基部３１Ａに取り付けられた端部）とは反対側の他方の端部は、リング状に形成され、固定孔３３１Ａを有する。固定具６が固定孔３３１Ａを通して被施工面７に結合され、固定具６が通された固定孔３３１Ａの部分が被施工面７に締結されることにより、第１係止片３Ａが被施工面７に接続される。その他の構造は、図４（ａ）および図４（ｂ）に関して前述した第１係止片３の構造と同様である。
【００４１】
（ｃ）第２係止片を用意する工程
図６は、本発明による方法において用いられる第２係止片を表す図である。図６（ａ）は、第２係止片を表す正面図である。図６（ｂ）は、図６（ａ）に表した矢印Ａ１４の方向からみたときの側面図である。
【００４２】
図６（ａ）および図６（ｂ）に表した第２係止片４は、例えば、図４（ａ）および図４（ｂ）に関して前述した第１係止片３と共に用いられる。この場合には、固定部材は、第１係止片３と、第２係止片４と、を有する。第２係止片４は、第２基部４１と、第２係止部４２と、を有し、板状の部材、例えば金属板により形成されている。第２係止部４２は、第２基部４１の一方の端部４１１に設けられ、第２溝２５に挿入されて係止される。第２係止部４２は、第２基部４１の端部４１１に曲げ加工が施されることにより形成され、第２基部４１の主面に対して所定の角度で延びている。
【００４３】
第２基部４１と第２係止部４２との間の角度Ａ４は、無機質板２の施工面２３と第２溝２５の第２内壁面２５１との間の角度Ａ２（図３参照）以下であることが好ましい。角度Ａ４が角度Ａ２よりも小さい場合には、第２係止部４２は、第２溝２５に挿入されると、無機質板２の第２端部２２に設けられた第２溝２５の第２内壁面２５１の深い位置に接触して、引っ掛かる力によって係止される。
【００４４】
あるいは、角度Ａ４は、角度Ａ２と同じであってもよい。この場合には、第２係止部４２は、第２溝２５に挿入されると、第２係止部４２の主面が無機質板２の第２端部２２に設けられた第２溝２５の第２内壁面２５１に面で接触して、引っ掛かる力によって係止される。
【００４５】
第２基部４１は、第１係止片３の長尺部３３が通過可能な孔４１２を有する。すなわち、第１係止片３の長尺部３３は、第２係止片４の孔４１２に挿入可能とされている。図６（ａ）に表した例では、孔４１２は、所定の幅を有するスリット状に形成されている。
【００４６】
図４（ａ）および図４（ｂ）に関して前述した第１係止片３の長尺部３３は、スリット状に形成された第２係止片４の孔４１２に挿入されるが、本発明の別の態様によれば、第１係止片の長尺部は、他の形状に形成された第２係止片の孔に挿入されてもよい。すなわち、図６（ａ）および図６（ｂ）に表した第２係止片４において、第２係止片４の孔４１２は、スリット状ではなく他の形状に形成されていてもよい。図７は、そのような第２係止片を表した図である。
【００４７】
図７は、本発明による方法において用いられる第２係止片の変形例を表す図である。図７（ａ）は、第２係止片の変形例を表す正面図である。図７（ｂ）は、図７（ａ）に表した矢印Ａ１５の方向からみたときの側面図である。
【００４８】
本変形例の第２係止片４Ａは、例えば、図５（ａ）および図５（ｂ）に関して前述した第１係止片３Ａと共に用いられる。この場合には、固定部材は、第１係止片３Ａと、第２係止片４Ａと、を有する。第２係止片４Ａは、第２基部４１Ａと、第２係止部４２と、を有し、板状の部材、例えば金属板により形成されている。
【００４９】
第２基部４１Ａは、第１係止片３Ａの長尺部３３Ａが通過可能な孔４１２Ａを有する。すなわち、第１係止片３Ａのリング状に形成された端部が第２係止片４の孔４１２を通過することにより、第１係止片３Ａの長尺部３３Ａは、第２係止片４の孔４１２に挿入可能とされている。図７（ａ）に表した例では、孔４１２Ａは、円形に形成されている。なお、孔４１２Ａの形状は、円形だけには限定されず、矩形であってもよく、あるいは、直線部分と円弧部分を有するいわゆる長孔や、楕円などであってもよい。その他の構造は、図６（ａ）および図６（ｂ）に関して前述した第２係止片４の構造と同様である。
【００５０】
（ｄ）第１係止片および第２係止片で無機質板を把持する工程
図８および図９は、第１係止片および第２係止片で無機質板を把持する工程を説明する断面図である。図８および図９は、図１に表した切断面Ａ１１−Ａ１１における断面図に相当する。なお、図８〜図１０の説明では、図４（ａ）および図４（ｂ）に関して前述した第１係止片３、ならびに図６（ａ）および図６（ｂ）に関して前述した第２係止片４を用いる場合を例に挙げる。
【００５１】
この工程では、まず、図８に表したように、第１係止片３の長尺部３３を第２係止片４の孔４１２に通す。続いて、第１係止片３の第１係止部３２を無機質板２の第１端部２１（具体的には第１溝２４）に引っ掛ける。なお、第１係止部３２を第１端部２１に引っ掛けた後に、長尺部３３を第２係止片４の孔４１２に通してもよい。つまり、長尺部３３を第２係止片４の孔４１２に通すタイミングと、第１係止部３２を第１端部２１に引っ掛けるタイミングと、の間の先後関係は、特には限定されない。
【００５２】
続いて、図９に表したように、長尺部３３を折り曲げた折り曲げ部３３２に第２係止片４を係合させる。続いて、第２係止片４の第２係止部４２を無機質板２の第２端部２２（具体的には第２溝２５）に引っ掛ける。なお、第２係止部４２を第２端部２２に引っ掛けた後に、長尺部３３を折り曲げた折り曲げ部３３２に第２係止片４を係合させてもよい。つまり、第２係止部４２を第２端部２２に引っ掛けるタイミングと、長尺部３３を折り曲げた折り曲げ部３３２に第２係止片４を係合させるタイミングと、の間の先後関係は、特には限定されない。なお、図９の態様では、折り曲げ部３３２は、第１係止片３の長尺部３３を折り返した部分に相当する。
【００５３】
この工程により、第１係止片３の第１係止部３２は、無機質板２の第１溝２４の入口部の付近に接触して、引っ掛かる力によって係止される。あるいは、第１係止片３の第１係止部３２は、第１係止部３２の主面が第１溝２４の第１内壁面２４１に接触して、引っ掛かる力によって係止される。第２係止片４の第２係止部４２は、無機質板２の第２溝２５の入口部の付近に接触して、引っ掛かる力によって係止される。あるいは、第２係止片４の第２係止部４２は、第２係止部４２の主面が第２溝２５の第２内壁面２５１に接触して、引っ掛かる力によって係止される。このようにして、第１係止片３および第２係止片４で無機質板２を把持することができる。
【００５４】
（ｅ）長尺部を被施工面に締結する工程、および（ｆ）無機質板を被施工面に接着する工程
図１０は、長尺部を被施工面に締結する工程、および無機質板を被施工面に接着する工程を説明する断面図である。図１０は、図１に表した切断面Ａ１１−Ａ１１における断面図に相当する。
【００５５】
第１係止片３の長尺部３３の被施工面７への締結は、固定具６が長尺部３３の固定孔３３１を通して被施工面７に結合されることにより行われる。図１０において、固定具６が通された固定孔３３１の部分は、躯体７１の表面である被施工面７に打ち込まれた固定具６により被施工面７に締結されている。これにより、第１係止片３は、被施工面７に接続される。続いて、無機質板２は、被施工面７に接着剤により接着される。
【００５６】
本実施形態に係る固定方法によれば、無機質板２は、固定部材による接続と、接着剤による接着との二つの手段により固定される。無機質板２には、経時的な劣化などで接着力が十分でなくなった場合でも、固定部材を用いた接続手段が存在するため、脱落や、脱落に伴う被害を防ぐことができる。
【００５７】
また、第１係止片３の長尺部３３を折り曲げた折り曲げ部３３２に第２係止片４を係合させるため、接着を阻害しない薄手の設計が可能となる。例えば、第１係止片３および第２係止片４は、金属板などの板状の部材により形成されているため、第１基部３１と、第２基部４１と、長尺部３３と、の３つの部分の板の厚さで無機質板２の被施工面７への固定方法を実現することができる。これにより、無機質板２が固定された後の接着剤の層の厚みは、好ましくは０．５ｍｍ以上５ｍｍ以下、より好ましくは１ｍｍ以上２ｍｍ以下とすることが可能となり、被施工面７または施工面２３の全面に接着剤を適用することも可能となる。
【００５８】
また、本発明の好適な態様によれば、第１係止片３の第１係止部３２は、第１端部２１（具体的には第１溝２４）に嵌め込まれるわけではなく、第１端部２１に引っ掛けられ、無機質板２に係止される。また、第２係止片４の第２係止部４２は、第２端部２２（具体的には第２溝２５）に嵌め込まれるわけではなく、第２端部２２に引っ掛けられ、無機質板２に係止される。これにより、例えば、無機質板２の張り付け位置に応じて無機質板２のサイズが変更された場合であっても、１組の固定部材５（第１係止片３および第２係止片４）で柔軟に対応することができる。
【００５９】
また、第１係止片３は、第１係止部３２で無機質板２を必ずしも締め付ける必要はなく、無機質板２の第１端部２１に接触して、引っ掛かる力によって係止されていればよい。また、第２係止片４は、第２係止部４２で無機質板２を必ずしも締め付ける必要ななく、無機質板２の第２端部２２に接触して、引っ掛かる力によって係止されていればよい。これにより、無機質板２の脱落を防ぐことができる。このように、固定部材５が無機質板２を把持する部分に遊びを設けることで、過度の応力負荷が無機質板２に掛かることを抑え、無機質板２が破損することを抑えることができる。つまり、第１係止片３および第２係止片４のそれぞれが無機質板２に引っ掛かる部分に遊びがあっても、固定部材５の全体では無機質板２と固定部材５との間のぐらつきを抑えることができるとともに、無機質板２が破損することを抑えることができる。
【００６０】
また、図４（ａ）および図４（ｂ）に関して前述した第１係止片３のように、複数の固定孔３３１が設けられている場合には、作業者は、無機質板２のサイズや張り付け位置に応じて、固定具６を通す固定孔３３１を複数の固定孔３３１の中から自由に選択することができる。これにより、作業者は、無機質板２のサイズや張り付け位置に応じて、長尺部３３の被施工面７への接続箇所を適宜設定することができる。
【００６１】
図１１は、無機質板の被施工面への他の固定方法を説明する図である。
図１１の説明では、図５（ａ）および図５（ｂ）に関して前述した第１係止片３Ａ、ならびに図７（ａ）および図７（ｂ）に関して前述した第２係止片４Ａを用いる場合を例に挙げる。
【００６２】
図１１に表した固定方法では、複数の固定部材５Ａが用いられる。固定部材５Ａは、第１係止片３Ａと、第２係止片４Ａと、を備える。図１１に表したように、第１係止片３Ａの長尺部３３Ａを第２係止片４Ａの孔４１２Ａに通す。続いて、第１係止片３Ａの第１係止部３２を無機質板２の第１端部２１（具体的には第１溝２４）に引っ掛ける。なお、第１係止部３２を第１端部２１に引っ掛けた後に、長尺部３３Ａを第２係止片４Ａの孔４１２Ａに通してもよい。つまり、長尺部３３Ａを第２係止片４Ａの孔４１２Ａに通すタイミングと、第１係止部３２を第１端部２１に引っ掛けるタイミングと、の間の先後関係は、特には限定されない。
【００６３】
続いて、長尺部３３Ａを折り曲げた部分に第２係止片４Ａを係合させる。続いて、第２係止片４Ａの第２係止部４２を無機質板２の第２端部２２（具体的には第２溝２５）に引っ掛ける。なお、第２係止部４２を第２端部２２に引っ掛けた後に、長尺部３３Ａを折り曲げた部分に第２係止片４Ａを係合させてもよい。つまり、第２係止部４２を第２端部２２に引っ掛けるタイミングと、長尺部３３Ａを折り曲げた部分に第２係止片４Ａを係合させるタイミングと、の間の先後関係は、特には限定されない。なお、図１１の態様では、長尺部３３Ａを折り曲げた部分は、長尺部３３Ａを折り返した部分に相当する。
【００６４】
続いて、図１０に関して前述したように、第１係止片３Ａの長尺部３３Ａの被施工面７への締結は、固定具６が長尺部３３Ａの固定孔３３１Ａを通して被施工面７に結合されることにより行われる。固定具６が通された固定孔３３１Ａの部分は、躯体７１の表面である被施工面７に打ち込まれた固定具６により被施工面７に締結されている。これにより、第１係止片３Ａは、被施工面７に接続される。
【００６５】
このような工程を、複数の固定部材５Ａにおいて繰り返す。これにより、図１１に表したように、複数の固定部材５Ａが第１端部２１（具体的には第１溝２４）および第２端部２２（具体的には第２溝２５）が延びた方向に沿って配置される。図１１に表した固定方法によれば、複数の固定部材５Ａを用いた接続手段が存在するため、無機質板２の脱落や、無機質板２の脱落に伴う被害をより確実に防ぐことができる。なお、複数の固定部材５Ａの代わりに、図１および図２に表した複数の固定部材５が用いられてもよい。
【００６６】
図１２は、無機質板の被施工面へのさらに他の固定方法を説明する図である。
図１２に表した固定方法では、固定部材５Ｂが用いられる。固定部材５Ｂは、第１係止片３Ｂと、第２係止片４Ｂと、を備える。
【００６７】
第１係止片３Ｂは、第１基部３１Ｂと、第１係止部３２（図５（ｂ）参照）と、線材としての長尺部３３Ａと、を有する。第１基部３１Ｂは、図５（ａ）および図５（ｂ）に関して前述した第１基部３１Ａと比較して、長尺とされ、長尺方向（長手方向）に沿って所定間隔で配置された複数の孔３１３を有する。図１２に表した例では、第１基部３１Ｂは、３つの孔３１３を有する。複数の長尺部３３Ａのそれぞれの一方の端部は、孔３１３に通され、任意の固定方法により第１基部３１Ｂの一方の端部に取り付けられている。図１２に表した例では、３本の長尺部３３Ａが設けられている。その他の構造は、図５（ａ）および図５（ｂ）に関して前述した第１基部３１Ａの構造と同様である。
【００６８】
第２係止片４Ｂは、第２基部４１Ｂと、第２係止部４２（図７（ｂ）参照）と、を有する。第２基部４１Ｂは、図７（ａ）および図７（ｂ）に関して前述した第２基部４１Ａと比較して、長尺とされ、長尺方向（長手方向）に沿って所定間隔で配置された複数の孔４１２Ａを有する。図１２に表した例では、第２基部４１Ｂは、３つの孔４１２Ａを有する。その他の構造は、図７（ａ）および図７（ｂ）に関して前述した第２基部４１Ａの構造と同様である。
【００６９】
図１２に表したように、第１係止片３Ｂの複数の長尺部３３Ａのそれぞれを第２係止片４Ｂの複数の孔４１２Ａのそれぞれに通す。続いて、第１係止片３Ｂの第１係止部３２を無機質板２の第１端部２１（具体的には第１溝２４）に引っ掛ける。なお、第１係止部３２を第１端部２１に引っ掛けた後に、長尺部３３Ａを第２係止片４Ｂの孔４１２Ａに通してもよい。つまり、長尺部３３Ａを第２係止片４Ｂの孔４１２Ａに通すタイミングと、第１係止部３２を第１端部２１に引っ掛けるタイミングと、の間の先後関係は、特には限定されない。
【００７０】
続いて、長尺部３３Ａを折り曲げた部分に第２係止片４Ｂを係合させる。続いて、第２係止片４Ｂの第２係止部４２を無機質板２の第２端部２２（具体的には第２溝２５）に引っ掛ける。なお、第２係止部４２を第２端部２２に引っ掛けた後に、長尺部３３Ａを折り曲げた部分に第２係止片４Ｂを係合させてもよい。つまり、第２係止部４２を第２端部２２に引っ掛けるタイミングと、長尺部３３Ａを折り曲げた部分に第２係止片４Ｂを係合させるタイミングと、の間の先後関係は、特には限定されない。なお、図１２の態様では、長尺部３３Ａを折り曲げた部分は、長尺部３３Ａを折り返した部分に相当する。
【００７１】
続いて、図１０に関して前述したように、第１係止片３Ｂの長尺部３３Ａの被施工面７への締結は、固定具６が長尺部３３Ａの固定孔３３１Ａを通して被施工面７に結合されることにより行われる。固定具６が通された固定孔３３１Ａの部分は、躯体７１の表面である被施工面７に打ち込まれた固定具６により被施工面７に締結されている。これにより、第１係止片３Ｂは、被施工面７に接続される。
【００７２】
図１２に表した固定方法によれば、複数の長尺部３３Ａを用いた接続手段が存在するため、無機質板２の脱落や、無機質板２の脱落に伴う被害をより確実に防ぐことができる。なお、線材としての長尺部３３Ａの代わりに、図４（ａ）および図４（ｂ）に関して前述した第１基部３１に一体的に形成された長尺部３３が用いられてもよい。また、第１基部３１Ｂが有する孔３１３の数、長尺部３３Ａの数、および第２基部４１Ｂが有する孔４１２Ａの数は、図１２に表した例には限定されない。
【００７３】
図１３は、無機質板の被施工面へのさらに他の固定方法を説明する図である。
図１３において、無機質板２Ａの第１端部２１Ａに第１溝２４Ａが設けられ、無機質板２Ａの第２端部２２Ａに第２溝２５Ａが設けられている。固定部材５Ｃのうちの第１係止片３Ｃの第１係止部３２（図５（ｂ）参照）が第１溝２４Ａに引っ掛けられ、固定部材５Ｃのうちの第２係止片４Ｃの第２係止部４２（図７（ｂ）参照）が第２溝２５Ａに引っ掛けられることにより、固定部材５Ｃは、第１係止部３２および第２係止部４２で無機質板２を把持する。言い換えれば、固定部材５Ｃが無機質板２Ａに係止される。
【００７４】
固定部材５Ｃは、第１係止片３Ｃと、第２係止片４Ｃと、を備える。第１係止片３Ｃの構造は、図５（ａ）および図５（ｂ）に関して前述した第１係止片３Ａの構造と同様である。第２係止片４Ｃは、第２基部４１Ｃと、第２係止部４２（図７（ｂ）参照）と、を有する。第２基部４１Ｃは、図７（ａ）および図７（ｂ）に関して前述した第２基部４１Ａと比較して、長尺とされている。具体的には、図１３に表した第２係止片４Ｃにおける第２係止部４２と孔４１２Ａとの間の距離は、図７（ａ）および図７（ｂ）に関して前述した第２係止片４Ａにおける第２係止部４２と孔４１２Ａとの間の距離よりも長い。
【００７５】
第１溝２４Ａおよび第２溝２５Ａは、互いに並行して上下方向に延びるとともに（図１３参照）、深さ方向（第１端部２１Ａおよび第２端部２２Ａが互いに対向する方向）に向かって互いに接近するように延びている。図１３に示す無機質板２Ａにおいて、第１端部２１Ａは、無機質板２Ａが被施工面７に固定された状態における右端部および左端部のいずれか一方に相当する。また、第２端部２２Ａは、無機質板２Ａが被施工面７に固定された状態における右端部および左端部のいずれか他方に相当する。
【００７６】
第１溝２４Ａは、第１端部２１Ａの長手方向における略中央部に設けられ、無機質板２Ａの上端部および下端部までは延びていない。つまり、第１溝２４Ａは、第１端部２１Ａの表面（端面）からみて第２端部２２Ａに向かって凹んだ凹部として形成されている。第２溝２５Ａは、第２端部２２Ａの長手方向における略中央部に設けられ、無機質板２Ａの上端部および下端部までは延びていない。つまり、第２溝２５Ａは、第２端部２２Ａの表面（端面）からみて第１端部２１Ａに向かって凹んだ凹部として形成されている。
【００７７】
なお、第１溝２４Ａは、必ずしも凹部として形成されていなくともよく、第１係止片３Ｃの第１基部３１Ａが上方向に移動することを抑制する壁面（上面）としての第１段部２４３を有していればよい。また、第２溝２５Ａは、必ずしも凹部として形成されていなくともよく、第２係止片４Ｃの第２基部４１Ｃが上方向に移動することを抑制する壁面（上面）としての第２段部２５３を有していればよい。
【００７８】
図１３に表したように、第１係止片３Ｃの長尺部３３Ａを第２係止片４Ｃの孔４１２Ａに通す。続いて、第１係止片３Ｃの第１係止部３２（図５（ｂ）参照）を無機質板２Ａの第１端部２１Ａ（具体的には第１溝２４Ａ）に引っ掛ける。なお、第１係止部３２を第１端部２１Ａに引っ掛けた後に、長尺部３３Ａを第２係止片４Ｃの孔４１２Ａに通してもよい。つまり、長尺部３３Ａを第２係止片４Ｃの孔４１２Ａに通すタイミングと、第１係止部３２を第１端部２１Ａに引っ掛けるタイミングと、の間の先後関係は、特には限定されない。
【００７９】
続いて、長尺部３３Ａを上方向に折り曲げた部分に第２係止片４Ｃを係合させる。続いて、第２係止片４Ｃの第２係止部４２（図７（ｂ）参照）を無機質板２Ａの第２端部２２Ａ（具体的には第２溝２５Ａ）に引っ掛ける。なお、第２係止部４２を第２端部２２Ａに引っ掛けた後に、長尺部３３Ａを上方向に折り曲げた部分に第２係止片４Ｃを係合させてもよい。つまり、第２係止部４２を第２端部２２Ａに引っ掛けるタイミングと、長尺部３３Ａを上方向に折り曲げた部分に第２係止片４Ｃを係合させるタイミングと、の間の先後関係は、特には限定されない。
【００８０】
続いて、図１０に関して前述したように、第１係止片３Ｃの長尺部３３Ａの被施工面７への締結は、固定具６が長尺部３３Ａの固定孔３３１Ａを通して被施工面７に結合されることにより行われる。固定具６が通された固定孔３３１Ａの部分は、躯体７１の表面である被施工面７に打ち込まれた固定具６により被施工面７に締結されている。これにより、第１係止片３Ｃは、被施工面７に接続される。
【００８１】
図１３に表した固定方法によれば、固定部材５Ｃは、無機質板の上端部および下端部には限定されず、無機質板２Ａの左端部および右端部に接触して、引っ掛かる力によって無機質板２Ａを把持する。これにより、作業者は、無機質板２Ａのサイズや張り付け位置に応じて、長尺部３３Ａの被施工面７への接続箇所を適宜設定することができる。
【００８２】
次に、第１溝および第２溝の変形例を、図面を参照して説明する。
図１４は、第１溝および第２溝の第１変形例を表す断面図である。図１４は、図１に表した切断面Ａ１１−Ａ１１における断面図に相当する。なお、図１４の説明では、図４（ａ）および図４（ｂ）に関して前述した第１係止片３、ならびに図６（ａ）および図６（ｂ）に関して前述した第２係止片４を用いる場合を例に挙げる。
【００８３】
本変形例では、無機質板２Ｂの第１端部２１に第１溝２４Ｂが設けられ、無機質板２Ｂの第２端部２２に第２溝２５Ｂが設けられている。第１溝２４Ｂおよび第２溝２５Ｂが延びた方向に沿ってみたときに、第１溝２４Ｂおよび第２溝２５Ｂのそれぞれの形状は、三角形（Ｖ溝形状）である。
【００８４】
図１４に表したように、第１溝２４Ｂの第１内壁面２４１の入口部（開口部）側の端部は、第１端部２１の表面から第２端部２２に向かって後退した位置に設けられている。そのため、図１４に表した距離Ｄ１のように、第１基部３１と第１係止部３２との境界部（折り曲げ部）は、第１端部２１の表面から第２端部２２に向かって後退した位置に配置される。なお、図１４に表した距離Ｄ１は、ゼロであってもよい。
【００８５】
また、第２溝２５Ｂの第２内壁面２５１の入口部（開口部）側の端部は、第２端部２２の表面から第１端部２１に向かって後退した位置に設けられている。そのため、図１４に表した距離Ｄ２のように、第２基部４１と第２係止部４２との境界部（折り曲げ部）は、第２端部２２の表面から第１端部２１に向かって後退した位置に配置される。なお、図１４に表した距離Ｄ２は、ゼロであってもよい。
【００８６】
本変形例によれば、第１係止片３および第２係止片４が無機質板２Ｂの第１端部２１および第２端部２２よりも外側に配置されることを抑制することができる。そのため、第１係止片３および第２係止片４と、隣り（例えば上の段や下の段など）に配置される無機質板２Ｂと、が干渉することをより確実に抑制することができる。これにより、無機質板２Ｂと被施工面７との間に形成される接着層の厚さを抑えることができる。
【００８７】
図１５は、第１溝および第２溝の第２変形例を表す断面図である。図１５は、図１に表した切断面Ａ１１−Ａ１１における断面図に相当する。
本変形例では、無機質板２Ｃの第１端部２１に第１溝２４Ｃが設けられ、無機質板２Ｃの第２端部２２に第２溝２５Ｃが設けられている。第１溝２４Ｃおよび第２溝２５Ｃが延びた方向に沿ってみたときに、第１溝２４Ｃおよび第２溝２５Ｃのそれぞれの形状は、半円形（Ｕ溝形状）である。
【００８８】
本変形例の固定部材５Ｄは、第１係止片３Ｄと、第２係止片４Ｄと、を有する。第１係止片３Ｄは、第１溝２４Ｃに引っ掛けられる第１係止部３２Ａを有する。その他の構造は、図４（ａ）および図４（ｂ）に関して前述した第１係止片３の構造と同様である。また、第２係止片４Ｄは、第２溝２５Ｃに引っ掛けられる第２係止部４２Ａを有する。その他の構造は、図６（ａ）および図６（ｂ）に関して前述した第２係止片４の構造と同様である。
【００８９】
本変形例のように、第１係止片３Ｄおよび第２係止片４Ｄのそれぞれが無機質板２Ｃに引っ掛かる部分に遊びがあっても、固定部材５Ｄの全体では無機質板２Ｃと固定部材５Ｄとの間のぐらつきを抑えることができるとともに、無機質板２Ｃが破損することを抑えることができる。
【００９０】
図１６は、第１溝および第２溝の第３変形例を表す断面図である。図１６は、図１に表した切断面Ａ１１−Ａ１１における断面図に相当する。
本変形例では、無機質板２Ｄの第１端部２１に第１溝２４Ｄが設けられ、無機質板２Ｄの第２端部２２に第２溝２５Ｄが設けられている。第１溝２４Ｄおよび第２溝２５Ｄが延びた方向に沿ってみたときに、第１溝２４Ｄおよび第２溝２５Ｄのそれぞれの形状は、三角形（Ｖ溝形状）である。
【００９１】
具体的には、第１溝２４Ｄの２つの内壁面２４１Ｄ、２４２Ｄの両方は、無機質板２Ｄの施工面２３（図１参照）に対して垂直ではなく、無機質板２Ｄの施工面２３に対して傾斜して延びている。また、第２溝２５Ｄの２つの内壁面２５１Ｄ、２５２Ｄの両方は、無機質板２Ｄの施工面２３に対して垂直ではなく、無機質板２Ｄの施工面２３に対して傾斜して延びている。この点において、本変形例の無機質板２Ｄは、図３に関して前述した無機質板２とは異なる。
【００９２】
本変形例の固定部材５Ｅは、第１係止片３Ｅと、第２係止片４Ｅと、を有する。第１係止片３Ｅは、第１溝２４Ｄに引っ掛けられる第１係止部３２Ｂを有する。例えば、第１係止部３２Ｂは、第１溝２４Ｄに挿入されると、第１係止部３２Ｂの主面が無機質板２Ｄの第１端部２１に設けられた第１溝２４Ｄの内壁面２４１Ｄに面で接触して、引っ掛かる力によって係止される。その他の構造は、図４（ａ）および図４（ｂ）に関して前述した第１係止片３の構造と同様である。
【００９３】
第２係止片４Ｅは、第２溝２５Ｄに引っ掛けられる第２係止部４２Ｂを有する。例えば、第２係止部４２Ｂは、第２溝２５Ｄに挿入されると、第２係止部４２Ｂの主面が無機質板２Ｄの第２端部２２に設けられた第２溝２５Ｄの内壁面２５１Ｄに面で接触して、引っ掛かる力によって係止される。その他の構造は、図４（ａ）および図４（ｂ）に関して前述した第２係止片４の構造と同様である。
【００９４】
本変形例のように、第１溝２４Ｄおよび第２溝２５Ｄの内壁面は、いずれも、無機質板２Ｄの施工面２３に対して傾斜して延びていてもよい。これによれば、作業者は、第１係止部３２Ｂを比較的容易に第１溝２４Ｄに引っ掛けることができるとともに、第２係止部４２Ｂを比較的容易に第２溝２４Ｄに引っ掛けることができる。
【００９５】
図１７は、第１溝および第２溝の第４変形例を表す断面図である。図１７は、図１に表した切断面Ａ１１−Ａ１１における断面図に相当する。
本変形例では、無機質板２Ｅの第１端部２１に第１溝２４Ｅが設けられ、無機質板２Ｅの第２端部２２に第２溝２５Ｅが設けられている。第１溝２４Ｅおよび第２溝２５Ｅが延びた方向に沿ってみたときに、第１溝２４Ｅおよび第２溝２５Ｅのそれぞれの形状は、四角形（矩形状）である。
【００９６】
具体的には、第１溝２４Ｅの２つの内壁面２４１Ｅ、２４２Ｅの両方は、無機質板２Ｅの施工面２３に並行して延びている。また、第２溝２５Ｅの２つの内壁面２５１Ｅ、２５２Ｅの両方は、無機質板２Ｅの施工面２３に並行して延びている。
【００９７】
本変形例の固定部材５Ｆは、第１係止片３Ｆと、第２係止片４Ｆと、を有する。第１係止片３Ｆは、第１溝２４Ｅに引っ掛けられる第１係止部３２Ｃを有する。その他の構造は、図４（ａ）および図４（ｂ）に関して前述した第１係止片３の構造と同様である。また、第２係止片４Ｆは、第２溝２５Ｅに引っ掛けられる第２係止部４２Ｃを有する。その他の構造は、図６（ａ）および図６（ｂ）に関して前述した第２係止片４の構造と同様である。
【００９８】
本変形例のように、第１溝２４Ｅおよび第２溝２５Ｅの内壁面は、いずれも、無機質板２Ｅの施工面２３に対して傾斜して延びていてもよい。これによれば、無機質板２Ｅの脱落や、無機質板２Ｅの脱落に伴う被害をより確実に防ぐことができる。
【００９９】
図１８は、被施工面に、複数の無機質板を張り付けた状態の説明図である。すなわち、図１８は、被施工面７と、被施工面７に固定された無機質板２と、無機質板２に係止された固定部材５Ａと、を備えてなる構造物を表す。なお、無機質板２に係止される固定部材は、固定部材５Ａには限定されず、図１〜図１７に関して前述した固定部材５、５Ａ、５Ｂ、５Ｃ、５Ｄ、５Ｅ、５Ｆのいずれであってもよい。
【０１００】
図１８において、無機質板２は、第１係止片３Ａの長尺部３３Ａを固定具６により被施工面７に接続し、さらに無機質板２を接着剤で接着することにより固定される。図１８にあっては、無機質板１枚あたり、２つの固定部材５Ａが設けられている。このとき、第１溝２４および第２溝２５は、２つの固定部材５Ａに対して共通の溝として用いられていてもよく、あるいは各部材毎に一対の溝として設けられていてもよい。
【０１０１】
また、図１８にあって、無機質板２は４段に張り付けられており、下の段の無機質板２についての固定具６は上の段の無機質板２に隠れるよう構成されている。図１８にあっては、固定具６は、それにより接続される無機質板２の上端部（第１端部２１）よりも上に設けられているが、上端部よりも下、すなわち、それにより接続される無機質板２に隠れる位置に設けられてもよい。
【０１０２】
被施工面７に設けられる固定具６は、結果として二重化された固定手段として、接着等の第一の固定手段が失われたときにも無機質板を係止することができる強度を有するものであれば特に限定されないが、例えば、ビス、タッピンねじ、ドリリングねじ、釘、リベットなどが挙げられる。
【０１０３】
接着剤としては、無機質板を被施工面に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもの、のいずれも好適に使用可能である。
【０１０４】
図１８に表したように、無機質板１枚あたりに複数の固定部材５Ａが設けられている場合には、固定部材５Ａが無機質板２を把持する部分に遊びが設けられる場合であっても、複数の固定部材５Ａの全体として無機質板２を保持する力を確保することができる。
【０１０５】
なお、本発明において、無機質板２の施工面２３と被施工面７との接着剤による接着は、無機質板２と躯体７１との間に下地材が介在する態様も含まれるものとする。この場合、下地材の内側に、躯体や間柱、ライトゲージスチール（ＬＧＳ）などのスタッド、またはパネルフレームなどの構造材があり、例えば、躯体が鉄骨等の柱である場合には、板状の下地材が躯体やこれらの構造材に公知の方法で固定されており、この下地材の表面に無機質板を接着剤で張り付ける。また例えば、既設の壁をリフォームする際に本発明の方法を適用する場合、既設の壁面を下地材として、その上に接着剤を用いて無機質板を張り付けても良い。いずれの場合も、固定具は躯体や上記の構造材に固定されていることが好ましい。
【０１０６】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。例えば、図４（ａ）および図４（ｂ）に関して前述した第１係止片３と、図５（ａ）および図５（ｂ）に関して前述した第１係止片３Ａと、を組み合わせてもよい。すなわち、線材としての長尺部３３Ａの一方の端部を長尺部３３の固定孔３３１に通し、任意の固定方法により、第１係止片３の長尺部３３と、第１係止片３Ａの長尺部３３Ａと、を連結させてもよい。
【符号の説明】
【０１０７】
２、２Ａ、２Ｂ、２Ｃ、２Ｄ、２Ｅ・・・無機質板、  ３、３Ａ、３Ｂ、３Ｃ、３Ｄ、３Ｅ、３Ｆ・・・第１係止片、  ４、４Ａ、４Ｂ、４Ｃ、４Ｄ、４Ｅ、４Ｆ・・・第２係止片、  ５、５Ａ、５Ｂ、５Ｃ、５Ｄ、５Ｅ、５Ｆ・・・固定部材、  ６・・・固定具、  ７・・・被施工面、  ２１、２１Ａ・・・第１端部、  ２２、２２Ａ・・・第２端部、  ２３・・・施工面、  ２４、２４Ａ、２４Ｂ、２４Ｃ、２４Ｄ、２４Ｅ・・・第１溝、  ２５、２５Ａ、２５Ｂ、２５Ｃ、２５Ｄ、２５Ｅ・・・第２溝、  ３１、３１Ａ、３１Ｂ・・・第１基部、  ３２、３２Ａ、３２Ｂ、３２Ｃ・・・第１係止部、  ３３、３３Ａ・・・長尺部、  ４１、４１Ａ、４１Ｂ、４１Ｃ・・・第２基部、  ４２、４２Ａ、４２Ｂ、４２Ｃ・・・第２係止部、  ７１・・・躯体、  ２４１・・・第１内壁面、  ２４１Ｄ、２４１Ｅ・・・内壁面、  ２４２・・・第１立壁面、  ２４２Ｄ、２４２Ｅ・・・内壁面、  ２４３・・・第１段部、  ２５１・・・第２内壁面、  ２５１Ｄ、２５１Ｅ・・・内壁面、  ２５２・・・第２立壁面、  ２５２Ｄ、２５２Ｅ・・・内壁面、  ２５３・・・第２段部、  ３１１、３１２・・・端部、  ３１３・・・孔、  ３３１、３３１Ａ・・・固定孔、  ３３２・・・折り曲げ部、  ４１１・・・端部、  ４１２、４１２Ａ・・・孔
【図１】
2018109338.tif 000003
【図２】
2018109338.tif 000004
【図３】
2018109338.tif 000005
【図４】
2018109338.tif 000006
【図５】
2018109338.tif 000007
【図６】
2018109338.tif 000008
【図７】
2018109338.tif 000009
【図８】
2018109338.tif 000010
【図９】
2018109338.tif 000011
【図１０】
2018109338.tif 000012
【図１１】
2018109338.tif 000013
【図１２】
2018109338.tif 000014
【図１３】
2018109338.tif 000015
【図１４】
2018109338.tif 000016
【図１５】
2018109338.tif 000017
【図１６】
2018109338.tif 000018
【図１７】
2018109338.tif 000019
【図１８】
2018109338.tif 000020